(57)【要約】【課題】本発明は折り畳み支柱式屋根形天幕に関し、夜営をしたり、物品の収納・保管をするのに用い、簡単な取り扱い操作により設営や分解が迅速かつ確実に行え、比較的多人数や大容量の物品を収容可能であり、日照や風雨を防ぐものである。【解決手段】切妻形等の屋根部２を有する天幕本体１と、上部支柱材３Ａと下部支柱材３Ｃを中部支柱材３Ｂに伸縮可能に組込み、所定長さＬに止着される１本の棟支柱３、中部支柱材の上端部外周に一端４ａが枢着され、他端４ｂ側が略水平に回動可能に設けられた一対の棟張り材４,４、上部支柱材の上端部外周に一端５ａが取付けられ、他端５ｂが棟張り材の他端４ｂ側に取付けられた懸吊部材５とで構成され、棟６を張る支柱組立体７と、軒下四隅、および軒下Ｎに建て込まれる複数本の側柱８とを備え、天幕本体を引綱９を介して外側へ張力をかけて張設する。【選択図】図１
2008101406.tif 000002
【特許請求の範囲】
【請求項１】
切妻形、または寄せ棟形の屋根部を有する天幕本体と、
上部支柱材、並びに、下部支柱材を上部および下部に伸縮可能に中部支柱材に組込むとともに、所定長さに止着可能に組付けられる１本の棟支柱、および前記中部支柱材の上端部外周に一端が枢着され、他端側が略垂直から略水平へと回動可能に設けられた一対の棟張り材、そして、前記上部支柱材の上端部外周に一端が取付けられ、他端が前記棟張り材の他端側に設けられた懸吊部材とで構成され、前記天幕本体の頂上部における棟を張る支柱組立体と、
前記天幕本体の軒下四隅、および軒下に等間隔毎に建て込まれる複数本の側柱とを備え、
前記天幕本体を引綱を介して外側へ張力をかけて張設することを特徴とした折り畳み支柱式屋根形天幕。
【請求項２】
前記上部支柱材、および前記下部支柱材は、小径をなし、大径の前記中部支柱材の上下の内部に伸縮可能に収納されることを特徴とした請求項１に記載の折り畳み支柱式屋根形天幕。
【請求項３】
前記上部支柱材の下端と前記中部支柱材の上端、並びに該中部支柱材の下端と前記下部支柱材の上端とは、前記上部支柱材の下端および前記中部支柱材の上端、並びに該中部支柱材の下端と前記下部支柱材の上端とにそれぞれ止めピンが内挿され、該止めピンは、前記上部支柱材、並びに前記下部支柱材の前記中部支柱材に対する伸縮長さを設定可能に余裕をもって閉鎖状の連結環状体内に配挿されることを特徴とした請求項１または２の何れかに記載の折り畳み支柱式屋根形天幕。
【請求項４】
前記下部支柱材の下端部外周には、基台が回動可能に枢着されたことを特徴とする請求項１〜３の何れかに記載の折り畳み支柱式屋根形天幕。
【請求項５】
前記懸吊部材は、前記上部支柱材の上端に設けられた保持リングと、該保持リングに一端が連結され、他端が止めリング並びに座金を介して止めボルトにて棟張り材の他端に取付けられる懸吊金具棒、またはチェーンにて形成されることを特徴とした請求項１〜４の何れかに記載の折り畳み支柱式屋根形天幕。
【請求項６】
前記引綱は、一端が前記屋根部の頂上における棟の外端部に取付けられ、他端は地面に打ち込まれた杭に取付けられる棟引綱と、一端が前記屋根部の軒先部に取付けられ、他端が他の杭に取付けられることにより長手方向に所定間隔に対設され、左右の前記側壁支柱、および側壁部に外方向に張力を与える軒引綱とで構成される請求項１〜５の何れかに記載の折り畳み支柱式屋根形天幕。
【発明の詳細な説明】
【技術分野】
【０００１】
本発明は折り畳み支柱式屋根形天幕に関し、伸縮可能に組み込まれた１本の棟支柱材を用いて夜営をしたり、または、物品を収納・保管をするのに用い、簡単な取り扱い操作により設営や分解が迅速かつ確実に行え、比較的多人数と、また、大容積に物品を収容可能であり、日照や風雨を防ごうとするものである。
【背景技術】
【０００２】
従来、設営が容易な折畳みテントとして、天幕の中央部に立設される一定長さの１本の支柱と、該支柱に移動自在に嵌合した摺動筒と、前記支柱の上端に一端を回動可能に枢着した復数の主バーと、該主バーの中間部に一端を枢着し、前記摺動筒を前記各主バーが展開した状態に支持される係合子とを備えた傘形形式の折畳みテントがあった（例えば特許文献１参照。）。
【特許文献１】実用新案登録第３０１３１８７号公報
【発明の開示】
【発明が解決しようとする課題】
【０００３】
しかしながら、特許文献１記載の上記従来の折畳みテントは、天幕の中央部に立設される一定長さの１本の支柱と、該支柱に移動自在に嵌合した摺動筒と、前記支柱の上端に一端を回動可能に枢着した復数の主バーと、該主バーの中間部に一端を枢着し、前記摺動筒を前記各主バーが展開した状態に支持される係合子とを備えた傘形形式の折畳みテントであり、支柱に対して摺動筒を移動自在に嵌合することによって該摺動筒に一端が枢着され、他端が主バーに枢着されたヒンジバーを介して前記主バーを回動させて天幕を拡張し、テントを設営するものである。従って、特許文献１記載の上記従来の折畳みテントは、支柱の長さが伸縮可能に変化しない、一定長さであり、支柱の長さを長くできないので、テントの屋根部の高さが低く、比較的小型であり、少人数の人員を収容するとともに小容量の貨物や物品を収容するためのものであった。しかも、特許文献１記載の上記従来の折畳みテントは、支柱は伸縮可能に折り畳めるものではないので、移動、運搬に嵩張り、取り扱いが容易ではないとともに、広い保管場所を必要としていた。
【０００４】
また、特許文献１記載の上記従来の折畳みテントは、テントを設営した場合に、屋根部の高さが低く、比較的小型であり、少人数の人員を収容するとともに小容量の貨物や物品を収容するものであった。しかも、移動、運搬に嵩張り、取り扱いが容易ではないとともに、保管場所に大面積を必要としていた。
【０００５】
本発明は上記従来の折畳みテントの欠点を解決し、屋根部の高さが高く、比較的大型に設営でき、多人数の人員を収容できるとともに大容量の貨物や物品を収容し、また、移動、運搬に嵩張らずにコンパクト化され、取り扱いが容易であるとともに、保管場所に大面積を必要とせず、また、日照や雨雪を防ぐのに充分であり、また、強風に対する倒壊を予防して強度が向上して構造堅牢になり、さらには、構造が簡単で部品数が少なく、組立操作および分解操作が容易かつ迅速に行える折り畳み支柱式屋根形天幕を提供することを目的とする。
【課題を解決するための手段】
【０００６】
本発明の請求項１に記載の発明は、
切妻形、または寄せ棟形の屋根部を有する天幕本体と、
上部支柱材、並びに、下部支柱材を中部支柱材の上部および下部に伸縮可能に組込むとともに、所定長さに止着可能に組付けられる１本の棟支柱、および前記中部支柱材の上端部外周に一端が枢着され、他端側が略垂直から略水平へと回動可能に設けられた一対の棟張り材、そして、前記上部支柱材の上端部外周に一端が取付けられ、他端が前記棟張り材の他端側に設けられた懸吊部材とで構成され、前記天幕本体の頂上部における棟を張る支柱組立体と、
前記天幕本体の軒下四隅、および軒下に等間隔毎に建て込まれる複数本の側柱とを備え、
前記天幕本体を引綱を介して外側へ張力をかけて張設することを特徴とした。
【０００７】
また、本発明の請求項２に記載の発明は、請求項１において、前記上部支柱材、および前記下部支柱材は、小径をなし、大径の前記中部支柱材の上下の内部に伸縮可能に収納されることを特徴とした。
【０００８】
また、本発明の請求項３に記載の発明は、請求項１または２の何れかにおいて、前記上部支柱材の下端と前記中部支柱材の上端、並びに該中部支柱材の下端と前記下部支柱材の上端とは、前記上部支柱材の下端および前記中部支柱材の上端、並びに該中部支柱材の下端と前記下部支柱材の上端とにそれぞれ止めピンが内挿され、該止めピンは、前記上部支柱材、並びに前記下部支柱材の前記中部支柱材に対する伸縮長さを設定可能に余裕をもって閉鎖状の連結環状体内に配挿されることを特徴とした。
【０００９】
また、本発明の請求項４に記載の発明は、請求項１〜３の何れかにおいて、前記下部支柱材の下端部外周には、基台が回動可能に枢着されたことを特徴とする。
【００１０】
また、本発明の請求項５に記載の発明は、請求項１〜４の何れかにおいて、前記懸吊部材は、前記上部支柱材の上端に設けられた保持リングと、該保持リングに一端が連結され、他端が止めリング並びに座金を介して止めボルトにて棟張り材の他端に取付けられる懸吊金具棒、またはチェーンにて形成されることを特徴とした。
【００１１】
さらに、本発明の請求項６に記載の発明は、請求項１〜５の何れかにおいて、前記引綱は、一端が前記屋根部の頂上における棟の外端部に取付けられ、他端は地面に打ち込まれた杭に取付けられる棟引綱と、一端が前記屋根部の軒先部に取付けられ、他端が他の杭に取付けられることにより長手方向に所定間隔に対設され、左右の前記側壁支柱、および側壁部に外方向に張力を与える軒引綱とで構成される。
【発明の効果】
【００１２】
本発明の請求項１に記載の発明によれば、切妻形、または寄せ棟形の屋根部を有する天幕本体と、上部支柱材、並びに、下部支柱材を中部支柱材の上部および下部に伸縮可能に組込むとともに、所定長さに止着可能に組付けられる１本の棟支柱、および前記中部支柱材の上端部外周に一端が枢着され、他端側が略垂直から略水平へと回動可能に設けられた一対の棟張り材、そして、前記上部支柱材の上端部外周に一端が取付けられ、他端が前記棟張り材の他端側に設けられた懸吊部材とで構成され、前記天幕本体の頂上部における棟を張る支柱組立体と、前記天幕本体の軒下四隅、および軒下に、等間隔毎に建て込まれる複数本の側柱とを備え、前記天幕本体を引綱を介して外側へ張力をかけて張設することを特徴としたので、屋根部の高さが高く、比較的大型に設営が行え、多人数の人員を収容できるとともに大容量の貨物や物品を収容できる。また、移動、運搬に嵩張らずにコンパクト化され、取り扱いが容易であるとともに、保管場所に大面積を必要としない。また、日照や雨雪を防ぐのに充分であり、また、強風に対する倒壊を予防して強度が向上して構造堅牢になる。さらには、構造が簡単で部品数が少なく、組立操作および分解操作が容易かつ迅速に行える。
【００１３】
また、本発明の請求項２に記載の発明によれば、前記上部支柱材、および前記下部支柱材は、小径をなし、大径の前記中部支柱材の上下の内部に伸縮可能に収納されることを特徴としたので、折り畳み支柱式屋根形天幕を造設する場合に、中部支柱材に対して上部支柱材および下部支柱材を伸長することにより、屋根部の高さが高く、比較的大型に天幕の設営が行えるため、多人数の人員を収容できるとともに大容量の貨物や物品を収容できる。また、屋根形天幕を移動したり、運搬するのに中部支柱材に対して上部支柱材および下部支柱材を縮小することにより、嵩張らずにコンパクト化され、取り扱いが容易であるとともに、保管場所に大面積を必要としないで済む。
【００１４】
また、本発明の請求項３に記載の発明によれば、前記上部支柱材の下端と前記中部支柱材の上端、並びに該中部支柱材の下端と前記下部支柱材の上端とは、前記上部支柱材の下端および前記中部支柱材の上端、並びに該中部支柱材の下端と前記下部支柱材の上端とにそれぞれ止めピンが内挿され、該止めピンは、前記上部支柱材、並びに前記下部支柱材の前記中部支柱材に対する伸縮長さを設定可能に余裕をもって閉鎖状の連結環状体内に配挿されることを特徴としたので、折り畳み支柱式屋根形天幕を設営する場合に、中部支柱材に対して上部支柱材および下部支柱材を伸長すると、前記上部支柱材の下端および前記中部支柱材の上端、並びに該中部支柱材の下端と前記下部支柱材の上端とに内挿した止めピンが、余裕をもって内挿された閉鎖状の連結環状体に衝突して移動が阻止されるまで、前記上部支柱材、並びに前記下部支柱材は、中部支柱材に対して伸長される。また、上部支柱材、並びに前記下部支柱材の伸長後は、止めピンが閉鎖状の連結環状体に衝突して移動が阻止されるから、上部支柱材、並びに前記下部支柱材の中部支柱材に対する不用意な抜け出しは防止される。
【００１５】
また、本発明の請求項４に記載の発明によれば、前記下部支柱材の下端部外周には、基台が回動可能に枢着されたことを特徴とするので、折り畳み支柱式屋根形天幕の造設時に、上部支柱材、並びに下部支柱材を中部支柱材に伸長し、基台を回動操作することにより、地面に棟支柱を前記基台を介して安定に立設することができる。
【００１６】
また、本発明の請求項５に記載の発明によれば、前記懸吊部材は、前記上部支柱材の上端に設けられた保持リングと、該保持リングに一端が連結され、他端が止めリング並びに座金を介して止めボルトにて棟張り材の他端に取付けられる懸吊金具棒、またはチェーンにて形成されることを特徴としたので、簡単な取り扱い操作により、構造堅牢に天幕本体の切妻形、または寄せ棟形の屋根部を設営することができる。
【００１７】
さらに、本発明の請求項６に記載の発明によれば、前記引綱は、一端が前記屋根部の頂上における棟の外端部に取付けられ、他端は地面に打ち込まれた杭に取付けられる棟引綱と、一端が前記屋根部の軒先部に取付けられ、他端が他の杭に取付けられることにより長手方向に所定間隔に対設され、左右の前記側壁支柱、および側壁部に外方向に張力を与える軒引綱とで構成されるので、簡単な取り扱い操作により、切妻形、または寄せ棟形の屋根部の高さが高く、比較的大型に天幕の造設が行える、多人数の人員を収容できるとともに大容量の貨物や物品を収容できる。また、天幕本体を構造堅牢に設営することができる。
【発明を実施するための最良の形態】
【００１８】
以下図面に従い、本発明を実施するための最良の形態につき詳細を説明する。
【００１９】
図１は本発明の折り畳み支柱式屋根形天幕の実施形態１を示し、設営した状態の斜視図、図２は本実施形態１の折り畳み支柱式屋根形天幕を設営するのに使用する支柱組立体を示す正面図、図３は同じく本実施形態１の折り畳み支柱式屋根形天幕を設営するのに使用する棟支柱を示す拡大一部断面図、図４は同じく本実施形態１の折り畳み支柱式屋根形天幕を設営するのに使用する支柱を構成する下部支柱を示す拡大一部断面図、図５は同じく棟支柱を構成する中部支柱材の拡大一部断面図、図６は同じく中部支柱材の拡大平面図、図７は同じく棟支柱を構成する下部支柱材の拡大一部断面図、図８は同じく下部支柱材の拡大平面図、図９は同じく本実施形態１の折り畳み支柱式屋根形天幕で使用する棟張り材を示す拡大正面図、図１０は同じく棟張り材の拡大側面図、図１１は同じく実施形態１の折り畳み支柱式屋根形天幕で使用する懸吊部材を示す拡大一部断面図、図１２は同じく保持リングの拡大平面図、図１３は同じく止めリングの拡大平面図、図１４は同じく実施形態１の折り畳み支柱式屋根形天幕で使用する側柱の拡大一部断面図、図１５は同じく本実施形態１の折り畳み支柱式屋根形天幕を展開した状態の斜視図、図１６は同じく本実施形態１の折り畳み支柱式屋根形天幕で使用する支柱組立体を伸長する状態を示す斜視図、図１７は同じく本実施形態１の折り畳み支柱式屋根形天幕の下面に支柱組立体の上方を差し込んだ状態の斜視図、図１８は同じく本実施形態１の折り畳み支柱式屋根形天幕を建て込む状態の斜視図である。
【００２０】
本発明の折り畳み支柱式屋根形天幕の本実施形態１は、切妻形、または寄せ棟形の屋根部２を有する天幕本体１と、上部支柱材３Ａ、並びに、下部支柱材３Ｃを中部支柱材３Ｂの上部および下部に伸縮可能に、かつ、所定長さＬ１に組込むとともに、所定長さＬに止着可能に組付けられる１本の棟支柱３、および前記中部支柱材３Ｂの上端部外周に一端４ａが枢着され、他端４ｂ側が略垂直から略水平へと回動可能に設けられた一対の棟張り材４,４、そして、前記上部支柱材３Ａの上端部外周に一端５ａが取付けられ、他端５ｂが前記棟張り材４,４の他端４ｂ側に取付けられた懸吊部材５とで構成され、前記天幕本体１の頂上部における棟６を張る支柱組立体７と、前記天幕本体１の軒下四隅、および軒下Ｎに、等間隔Ｌ２毎に建て込まれる複数本の側柱８とを備え、前記天幕本体１を引綱９を介して外側へ張力をかけて張設することを特徴とした。
【００２１】
図示する本実施形態１では、前記上部支柱材３Ａ、および前記下部支柱材３Ｃは、小径をなし、大径の前記中部支柱材３Ｂの上下の内部に伸縮可能に収納されるが、前記棟支柱３を伸縮可能、かつ止着可能に設けるのには、図示する実施形態１に限ることなく、例えばアンテナロッド状に前記上部支柱材３Ａは小径、および、前記中部支柱材３Ｂは中径、さらに前記下部支柱材３Ｃは大径に形成することにより伸縮可能に組み込むとともに、伸長して止着可能にするようにしてもよい。
【００２２】
４Ａは前記中部支柱材３Ｂの上端部外周に一対の棟張り材４,４の一端４ａを回動可能に枢着するために、前記中部支柱材３Ｂの上端に設けられた断面略コ字状の保持金具である。
【００２３】
１０は前記上部支柱材３Ａの下端と前記中部支柱材３Ｂの上端、並びに該中部支柱材３Ｂの下端と前記下部支柱材３Ｃの上端との内部に直径方向に内挿される止ボルトであり、この止ボルト１０,１０は、閉鎖状の連結環状体１１,１１内に余裕をもって止めピン１０′,１０′と対向して配挿されることにより、前記中部支柱材３Ｂに対して前記上部支柱材３Ａ、並びに前記下部支柱材３Ｃを伸長する場合に、前記連結環状体１１,１１内に内挿した止ボルト１０と、止めピン１０′とが、閉鎖状の連結環状体１１,１１の内周側の上端または下端に衝突して移動が阻止されるまで、前記上部支柱材３Ａ、並びに前記下部支柱材３Ｃは、中部支柱材３Ｂに対して伸長されるように伸長長さを設定する。１０Ａは伸長後の上部支柱材３Ａ、並びに下部支柱材３Ｃを、中部支柱材３Ｂに対して止着するために、止ボルト１０のねじ部に螺合、締定されるナットである。また、止めピン１０′は上部支柱材３Ａの下端、および下部支柱材３Ｃの上端に内挿され、これらの止めピン１０′,１０′に前記連結環状体１１,１１は溶接等の固着手段により取付けられている。
【００２４】
１２は前記下部支柱材３Ｃの下端部外周に回動可能に設けられた基台であり、この基台１２は屋根形天幕の造設時に、回動操作することにより、上部支柱材３Ａ、並びに下部支柱材３Ｃを中部支柱材３Ｂに伸長し、地面Ｅに棟支柱３を前記基台１２を介して安定に立設するためのものである。
【００２５】
また、前記懸吊部材５は、前記上部支柱材３Ａの上端に設けられた保持リング１３と、該保持リング１３に一端５ａが連結され、他端が止めリング１４並びに座金１５,１５を介して止めボルト１６にて他端５ｂに取付けられる懸吊金具棒１７、または図には示さないチェーンにて形成される。
【００２６】
前記側柱８は、図１４に示すように下端が円錐形の石突き部８ａとなして地面Ｅに打ち込み可能であり、上端部には屋根部２の四隅、および軒先Ｎ,Ｎに等間隔に設けた金環材Ｗ内に突出されるピン体８ｂを突設している。そして、この側柱８は、屋根部２の四隅、および軒先Ｎ下面に等間隔Ｌ２に立設されることにより、本実施形態１では合計６本の側柱８を用いて屋根部２を支持する。
【００２７】
前記引綱９は、一端９Ａ１が前記屋根部２の頂上における棟６の外端部６ａに取付けられて他端９Ａ２は地面Ｅに打ち込まれた杭１９に取付けられる棟引綱９Ａと、一端９Ｂ１が前記屋根部２の軒先部に取付けられ、他端９Ｂ２が他の杭１９′に取付けられることにより長手方向Ｉに所定間隔Ｌ２に対設され、左右の前記側柱８,８,８；８,８,８に外方向に張力を与える軒引綱９Ｂとで構成される。このうち、四隅に立設される４本の側柱８は、２本づつの軒引綱９Ｂを左右に振り分けて張設される。
【００２８】
前記棟引綱９Ａは、図示する実施形態１では、天幕本体１の前後に左右に振り分けて２本づつ、合計４本が張設される。また、前記軒引綱９Ｂは、屋根部２の四隅、および軒先Ｎ下面に等間隔Ｌ２に立設された合計６本の側柱８の設置位置において屋根部２に外方向に張力をかけるとともに、前記側柱８の転倒を防止する。
【００２９】
本発明の折り畳み支柱式屋根形天幕の実施形態１は以上の構成からなり、野外での設営を行うのには、先ず、野外の設営個所に天幕本体１を組立し易いように屋根部２を四方に展開しておく（図１５参照）。
【００３０】
次いで、支柱組立体７の棟支柱３を伸長し、天幕本体１への建て込みの準備を行う。すなわち、上部支柱材３Ａ、および下部支柱材３Ｃを中部支柱材３Ｂの上下から引き出して伸長する。この際、上部支柱材３Ａの下端および中部支柱材３Ｂの上端、並びに該中部支柱材３Ｂの下端と下部支柱材３Ｃの上端とに止ボルト１０と止めピン１０′とが、閉鎖状の連結環状体１１,１１の内周の上端または下端に衝突して移動が阻止されるまで、上部支柱材３Ａ、並びに下部支柱材３Ｃは、中部支柱材３Ｂに対して伸長される。上部支持材３Ａおよび下部支持材３Ｃを中部支持材３Ｂに対して伸長後は、止ボルト１０のねじ部にナット１０Ａを螺合することにより緊締し、上部支持材３Ａおよび下部支持材３Ｃが縮小しないように止着を行う。また、上部支柱材３Ａ、並びに下部支柱材３Ｃの伸長後は、止ボルト１０と止めピン１０′が閉鎖状の連結環状体１１,１１内周の上端または下端に衝突して移動が阻止されるから、上部支柱材３Ａ、並びに前記下部支柱材３Ｃの中部支柱材３Ｂに対する不用意な抜け出しは防止される。
【００３１】
その後、中部支柱材３Ｂの上端部外周に一端４ａが枢着された一対の棟張り材４,４を回動操作することにより、他端４ｂ側を略垂直から略水平へと回動させ、伸長した棟支柱３と一対の棟張り材４,４とを交差した状態に展開する（図１６参照）。
【００３２】
それから、支柱組立体７を天幕本体１の下に潜らせて棟支柱３の上方部を差込み、一対の棟張り材４,４を屋根部２の中間部における長手方向Ｉに位置させる。
【００３３】
そして、上部支柱材３Ａの上端に設けられた保持リング１３に一端５ａが連結された１対の懸吊部材５,５としての懸吊金具棒１７,１７の他端５ｂを止めリング１４並びに座金１５,１５を介して止めボルト１６にて棟張り材４,４の他端側に取付けることにより、座金１５,１５と、棟張り材４,４との間に屋根部２の棟６の外縁部６ａ,６ａを挟み、棟張り材４,４に対して屋根部２がずれ動かないようにする。
【００３４】
その後、棟部６の外端部６ａに一端９Ａ１が取付けられた棟引綱９Ａの他端９Ａ２は地面Ｅに打ち込まれた杭１９に掛けておき、天幕本体１の設営が進むのにつれて張力を調整するようにする。張力の調整は、ターンバックルを用いれば、容易に調整できる。
【００３５】
また、一端９Ｂ１が屋根部２の四隅と軒先部に等間隔に取付けられた軒引綱９Ｂの他端９Ｂ２を他の杭１９′に掛けて置く。
【００３６】
それから、支柱組立体７を天幕本体１の下に潜らせて棟支柱３の上方部を差込み、一対の棟張り材４,４を屋根部２の中間部における長手方向Ｉに位置させる。そして、基台１２を水平に回動操作することにより、地面Ｅに棟支柱３を前記基台１２を介して安定に立設し、天幕本体１の屋根部２における棟６を上方に持ち上げる。
【００３７】
次いで、天幕本体１の軒下四隅、および軒下Ｎに、等間隔Ｌ３毎に図示する実施形態１では６本の側柱８を建て込む。
【００３８】
そして、屋根部２に対して前方および後方の各２本づつの棟引綱９Ａ,９Ａ；９Ａ,９Ａの張力を強くするとともに、屋根部２の四隅、および等間隔Ｌ２に一端９Ｂ１を軒先部に取付けている軒引綱９Ｂの張力を強くする。このうち、四隅に立設される４本の側柱８は、２本づつの軒引綱９Ｂを用いて張設される。こうして、簡単な取り扱い操作により支柱式屋根形天幕の設営を終える。
【００３９】
このようにして設営された本実施形態１の支柱式屋根形天幕は、上部支柱材３Ａ、並びに、下部支柱材３Ｃを中部支柱材３Ｂの上部および下部に多段に伸長し、かつ、所定長さＬに止着された長さの長い棟支柱３を用いるのと、この棟支柱３の中部支柱材３Ｂの上端部外周に一端４ａが枢着されて水平に展開された一対の棟張り材４,４が切妻形屋根の屋根部２における棟６の下面を支持するのと、この一対の棟張り材４,４の他端４ｂには一端５ｂが取り付けられ、他端５ａが上部支柱材３Ａの上端に設けられた保持リング１３に連結された１対の懸吊部材５,５としての懸吊金具棒１７,１７とにより正面三角形に形成される構造材により屋根部２を懸吊するように支持するので、屋根部２は高さＨが高く、比較的大型に造設が行える。従って、多人数の人員を収容できるとともに大容量の貨物や物品を収容できる。また、日照や雨雪を防ぐのに充分である。
【００４０】
また、支柱組立体７の棟支柱３は、下部支柱材３Ｃの下端に回動可能に設けられ、地面Ｅの上に水平に置かれる基台１２の上に垂直に支持されて安定化されるのと、前述のように棟支柱３の中部支柱材３Ｂの上端部外周に一端４ａが枢着されて水平に展開された一対の棟張り材４,４と、この一対の棟張り材４,４の他端４ｂに一端５ｂが取り付けられ、他端５ａが上部支柱材３Ａの上端に連結された１対の懸吊部材５,５としての懸吊金具棒１７,１７とで正面三角形に形成される構造材により屋根部２が支持されるのと、棟支柱３は前方および後方を４本の棟引綱９Ａ,９Ａ；９Ａ,９Ａにより前後左右を均衡して四方へ向かう張力が付与されるのと、天幕本体１の軒下四隅、および軒下Ｎに、等間隔Ｌ２毎に対設して建て込まれた６本の側柱８は軒引綱９Ｂにより棟６に対して平面交差する外方向へ向かう張力が付与されるのとから、屋根部２は前後左右へと引綱９により均衡して張力が働き、構造的に堅牢であり、強い強度を発揮するため、強風に対する倒壊が防止され、しかも屋根部２は降雪による荷重によって損壊されるのが防止される。
【００４１】
また、設営された本実施形態１の折り畳み支柱式屋根形天幕の設営を解いて分解するのには、前述の設営時の逆の手順、操作により分解を行えばよい。すなわち、軒引綱９Ｂの杭１９′に対する取付を解いて張力を緩め、また棟引綱９Ａに対する杭１９に対する取付を解いて張力を緩め、止ボルト１６を緩めて１対の棟張り材４,４に対する懸吊部材５,５と屋根部２への挟持を解き、それから、止ボルト１０とナット１０Ａの螺合を解いて棟支柱３の中部支柱材３Ｂに対して上部支柱材３Ａ、下部支柱材３Ｃを縮小し、天幕本体１を折り畳み、収納することにより分解作業を行う。
【００４２】
また、本実施形態１の畳み支柱式屋根形天幕では、支柱組立体７の棟支柱３は、中部支柱材３Ｂに対して上部支柱材３Ａ、下部支柱材３Ｃが縮小され、しかも、１対の棟張り材４,４は一端４ａの枢着点を中心として中部支柱材３Ｂの外周に回動されて窄まり、また、懸吊部材５の一端５ａは上部支柱材３Ａの上端部への枢着点を中心として上部支柱材３Ａの外周に回動されてコンパクト化されるので、移動、運搬が容易に行え、取り扱いが容易であるとともに、保管場所に大面積を必要としない。
【００４３】
また、上記実施形態１では、屋根部２の形状を切妻屋根形状に形成した場合を図示しているが、屋根部２の形状は図示するものに限らず、本発明の趣旨を逸脱しない限り、例えば寄せ棟形状の場合も本発明は適用することができる。
【産業上の利用可能性】
【００４４】
本発明は屋根部の高さが高く、比較的大型に造設が行え、多人数の人員を収容できるとともに大容量の貨物や物品を収容でき、また、移動、運搬に嵩張らずにコンパクト化され、取り扱いが容易であるとともに、保管場所に大面積を必要とせず、また、日照や雨雪を防ぐのに充分であり、また、強風に対する倒壊を予防して強度が向上して構造堅牢になり、さらには、構造が簡単で部品数が少なく、組立操作および分解操作が容易かつ迅速に行えるという用途・機能に適する。
【図面の簡単な説明】
【００４５】
【図１】図１は本発明の折り畳み支柱式屋根形天幕の実施形態１を示し、設営した状態の斜視図である。
【図２】図２は本実施形態１の折り畳み支柱式屋根形天幕を設営するのに使用する支柱組立体を示す正面図である。
【図３】図３は同じく本実施形態１の折り畳み支柱式屋根形天幕を設営するのに使用する棟支柱を示す拡大一部断面図である。
【図４】図４は同じく本実施形態１の折り畳み支柱式屋根形天幕を設営するのに使用する支柱を構成する下部支柱を示す拡大一部断面図である。
【図５】図５は同じく棟支柱を構成する中部支柱材の拡大一部断面図である。
【図６】図６は同じく中部支柱材の拡大平面図である。
【図７】図７は同じく棟支柱を構成する下部支柱材の拡大一部断面図である。
【図８】図８は同じく下部支柱材の拡大平面図である。
【図９】図９は同じく本実施形態１の折り畳み支柱式屋根形天幕で使用する棟張り材を示す拡大正面図である。
【図１０】図１０は同じく棟張り材の拡大側面図である。
【図１１】図１１は同じく実施形態１の折り畳み支柱式屋根形天幕で使用する懸吊部材を示す拡大一部断面図である。
【図１２】図１２は同じく保持リングの拡大平面図である。
【図１３】図１３は同じく止めリングの拡大平面図である。
【図１４】図１４は同じく実施形態１の折り畳み支柱式屋根形天幕で使用する側柱の拡大一部断面図である。
【図１５】図１５は同じく本実施形態１の折り畳み支柱式屋根形天幕を展開した状態の斜視図である。
【図１６】図１６は同じく本実施形態１の折り畳み支柱式屋根形天幕で使用する支柱組立体を伸長する状態を示す斜視図である。
【図１７】図１７は同じく本実施形態１の折り畳み支柱式屋根形天幕の下面に支柱組立体の上方を差し込んだ状態の斜視図である。
【図１８】図１８は同じく本実施形態１の折り畳み支柱式屋根形天幕を建て込む状態の斜視図である。
【符号の説明】
【００４６】
１      天幕本体
２      屋根部
３Ａ    上部支柱材
３Ｂ    中部支柱材
３Ｃ    下部支柱材
４      棟張り材
５      懸吊部材
６      棟
７      支柱組立体
８      側柱
９      引綱
９Ａ    棟引綱
９Ｂ    軒引綱
１０    止ボルト
１９    杭
１９′  杭
Ｉ      長手方向
Ｎ      軒下
【図１】
2008101406.tif 000003
【図２】
2008101406.tif 000004
【図３】
2008101406.tif 000005
【図４】
2008101406.tif 000006
【図５】
2008101406.tif 000007
【図６】
2008101406.tif 000008
【図７】
2008101406.tif 000009
【図８】
2008101406.tif 000010
【図９】
2008101406.tif 000011
【図１０】
2008101406.tif 000012
【図１１】
2008101406.tif 000013
【図１２】
2008101406.tif 000014
【図１３】
2008101406.tif 000015
【図１４】
2008101406.tif 000016
【図１５】
2008101406.tif 000017
【図１６】
2008101406.tif 000018
【図１７】
2008101406.tif 000019
【図１８】
2008101406.tif 000020